(57)【要約】【課題】移動局のコンテキスト情報を記憶していない無線基地局に対するコネクション再設定（再接続）を可能とする。【解決手段】本発明に係る移動通信方法は、第１セルにおいて第１コネクションを設定している移動局ＵＥが、第１コネクションにおける障害を検出した際に、セル選択処理を行い、セル選択処理によって選択した第２セルに対してコネクション再設定要求信号を送信する工程と、第２セルを管理する無線基地局が、コネクション再設定要求信号を送信した移動局ＵＥのコンテキスト情報を記憶しているか否かについて判定し、移動局ＵＥのコンテキスト情報を記憶していないと判定した場合に、第１セルを管理する無線基地局から移動局のコンテキスト情報を取得する工程とを有する。【選択図】図３
2010199632.tif 000002
【特許請求の範囲】
【請求項１】
第１セルにおいて第１コネクションを設定している移動局が、該第１セルを管理する無線基地局からの再構成信号に応じて、該第１コネクションの構成の変更処理を行う工程Ａと、
前記移動局が、前記変更処理に成功した場合に、前記再構成信号に含まれるトランザクション識別情報を記憶し、記憶した該トランザクション識別情報を含む再構成完了信号を、前記該第１セルを管理する無線基地局に送信するする工程Ｂと、
前記移動局が、前記第１コネクションにおける障害を検出した際に、セル選択処理を行う工程Ｃと、
前記移動局が、前記セル選択処理によって選択した第２セルを管理する無線基地局に対して、前記トランザクション識別情報と前記第１セル及び前記移動局を特定可能なセキュリティパラメータとを含むコネクション再設定要求信号を送信する工程Ｄと、
前記第２セルを管理する無線基地局が、前記コネクション再設定要求信号を送信した該移動局のコンテキスト情報を記憶しているか否かについて判定する工程Ｅと、
前記第２セルを管理する無線基地局が、前記移動局のコンテキスト情報を記憶していないと判定した場合に、前記第１セルを管理する無線基地局に対して前記トランザクション識別情報及び前記セキュリティパラメータを含むコンテキスト要求信号を送信する工程Ｆと、
前記コンテキスト要求信号を受信した前記第１セルを管理する無線基地局が、前記トランザクション識別情報及び前記セキュリティパラメータに基づいて該移動局のコンテキスト情報を特定し、特定した該移動局のコンテキスト情報を、前記第２セルを管理する無線基地局に転送する工程Ｇと、
前記移動局のコンテキスト情報に基づいて、前記第２セルを管理する無線基地局及び前記移動局が、該移動局用の該第２セルにおける第２コネクションを設定する工程Ｈとを有することを特徴とする移動通信方法。
【請求項２】
前記工程Ｅにおいて、前記第２セルを管理する無線基地局は、前記コネクション再設定要求信号に含まれる前記トランザクション識別情報と前記セキュリティパラメータとの組み合わせに基づき、前記移動局のコンテキスト情報を記憶しているか否かについて判定することを特徴とする請求項１に記載の移動通信方法。
【請求項３】
前記工程Ｄは、
前記移動局が、前記第２セルを管理する無線基地局に対して、ランダムアクセスプリアンブルを送信する工程Ｄ１と、
前記第２セルを管理する無線基地局が、受信した前記ランダムアクセスプリアンブルに応じて、前記移動局に対して、ランダムアクセス応答を送信する工程Ｄ２と、
前記移動局が、前記ランダムアクセス応答によって指定されたリソースを用いて、前記コネクション再設定要求信号を送信する工程Ｄ３と、
前記第２セルを管理する無線基地局が、前記コネクション再設定要求信号の受信に応じて、衝突解決信号を送信する工程Ｄ４とを有し、
前記工程Ｄ４において、前記第２セルを管理する無線基地局は、前記工程Ｄ１において起動された所定タイマが満了する前に、前記コネクション再設定要求信号に対する応答信号であるコネクション再設定信号とは別に、前記衝突解決信号を送信することを特徴とする請求項１に記載の移動通信方法。
【請求項４】
第２セルを管理する無線基地局であって、
第１セルにおいて第１コネクションを設定している移動局から受信した前記第２セル宛てのコネクション再設定要求信号に含まれるトランザクション識別情報と該第１セル及び該移動局を特定可能なセキュリティパラメータとの組み合わせに基づいて、該移動局のコンテキスト情報を記憶しているか否かについて判定するように構成されている判定部と、
前記判定部によって前記移動局のコンテキスト情報を記憶していないと判定された場合に、前記第１セルを管理する無線基地局から、該移動局のコンテキスト情報を取得するように構成されている取得部と、
前記移動局のコンテキスト情報に基づいて、前記移動局と協働して、該移動局用の前記第２セルにおける第２コネクションを設定するように構成されている設定部とを具備し、
前記トランザクション識別情報は、前記移動局において前記第１コネクションの構成の変更処理に成功した場合に更新される識別情報であることを特徴とする無線基地局。
【請求項５】
前記移動局から受信したランダムアクセスプリアンブルに応じて、前記移動局に対して、ランダムアクセス応答を送信し、該ランダムアクセス応答によって指定したリソースを用いて前記移動局から受信した前記コネクション再設定要求信号の受信に応じて、衝突解決信号を送信するように構成されているコネクション再設定要求信号受信部を具備し、
前記コネクション再設定要求信号受信部は、前記移動局による前記コネクション再設定要求信号の送信の際に起動された所定タイマが満了する前に、該コネクション再設定要求信号に対する応答信号であるコネクション再設定信号とは別に、前記衝突解決信号を送信するように構成されていることを特徴とする請求項４に記載の無線基地局。
【請求項６】
前記第１セルを管理する無線基地局が、前記第１コネクションにおける障害を検出していない場合であっても、任意のタイミングで、前記第２セルを管理する無線基地局に対して、前記移動局における最新の前記トランザクション識別情報を通知する工程を更に有することを特徴とする請求項１乃至３のいずれか一項に記載の移動通信方法。
【請求項７】
前記第１セルを管理する無線基地局によって通知されたトランザクション識別情報に応じて、記憶されている前記移動局のコンテキスト情報に対応する前記トランザクション識別情報を更新するように構成されている管理部を更に具備することを特徴とする請求項４又は５に記載の無線基地局。
【請求項８】
第１セルを管理する無線基地局であって、
前記第１セルにおいて移動局との間で設定している第１コネクションの構成の変更処理が成功した場合に、トランザクション識別情報を更新し、任意のタイミングで、更新した該トランザクション識別情報を、第２セルを管理する無線基地局に通知するように構成されている通知部を具備することを特徴とする無線基地局。
【発明の詳細な説明】
【技術分野】
【０００１】
本発明は、移動通信方法及び無線基地局に関する。
【背景技術】
【０００２】
図１４を参照して、３ＧＰＰで規定されている「ＬＴＥ（Ｌｏｎｇ  Ｔｅｒｍ  Ｅｖｏｌｕｔｉｏｎ）」方式の移動通信システムにおいて、セル＃１においてＲＲＣコネクション＃１を設定している移動局ＵＥが、ＲＬＦ（無線リンク障害、Ｒａｄｉｏ  Ｌｉｎｋ  Ｆａｉｌｕｒｅ）を検出した際の動作について説明する。
【０００３】
図１４に示すように、移動局ＵＥと無線基地局ｅＮＢ＃１との間でＲＲＣコネクション＃１が設定されており、無線基地局ｅＮＢ＃１と交換局ＭＭＥとの間でＳ１コネクション＃１が設定されている状態で、移動局ＵＥが、ステップＳ５００１において、ＲＬＦ（無線リンク障害、Ｒａｄｉｏ  Ｌｉｎｋ  Ｆａｉｌｕｒｅ）を検出すると、ステップＳ５００２において、セル選択処理（Ｃｅｌｌ  Ｓｅｌｅｃｔｉｏｎ）を行う。
【０００４】
ステップＳ５００３において、移動局ＵＥは、セル選択処理によって選択されたセル＃２を管理する無線基地局ｅＮＢ＃２に対して、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。
【０００５】
無線基地局ｅＮＢ＃２は、ステップＳ５００４において、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「Ｐｈｙｓｉｃａｌ  Ｃｅｌｌ  Ｉｄｅｎｔｙ」、「Ｃ-ＲＮＴＩ」及び「ｓｈｏｒｔＭＡＣ-Ｉ」に対応する移動局ＵＥのコンテキスト情報（ＵＥコンテキスト）を記憶している場合、ステップＳ５００５において、移動局ＵＥに対して、「ＲＲＣ  Ｃｏｎｎｅｃｔｉｏｎ  Ｒｅ-ｅｓｔａｂｌｉｓｈｍｅｎｔ」を送信する。
【０００６】
ステップＳ５００６において、移動局ＵＥは、無線基地局ｅＮＢ＃２に対して、「ＲＲＣ  Ｃｏｎｎｅｃｔｉｏｎ  Ｒｅ-ｅｓｔａｂｌｉｓｈｍｅｎｔ  Ｃｏｍｐｌｅｔｅ」を送信する。
【０００７】
無線基地局ｅＮＢ＃２は、ステップＳ５００７において、交換局ＭＭＥに対して、「Ｓ１  Ｐａｔｈ  Ｓｗｉｔｃｈ」を送信し、ステップＳ５００８において、移動局ＵＥに対して、「ＲＲＣ  Ｃｏｎｎｅｃｔｉｏｎ  Ｒｅｃｏｎｆｉｇｕｒａｔｉｏｎ」を送信する。
【０００８】
ステップＳ５００９において、移動局ＵＥは、無線基地局ｅＮＢ＃２に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信し、ステップＳ５０１０において、交換局ＭＭＥは、無線基地局ｅＮＢ＃２に対して、「Ｓ１  Ｐａｔｈ  Ｓｗｉｔｃｈ  Ａｃｋ」を送信する。
【０００９】
この結果、ＲＲＣコネクション＃１のＲＲＣコネクション＃２への切り替え、及び、Ｓ１コネクション＃１のＳ１コネクション＃２への切り替えが完了する。ここで、ＲＲＣコネクション＃２は、移動局ＵＥと無線基地局ｅＮＢ＃２との間で設定されているＲＲＣコネクションであり、Ｓ１コネクション＃２は、無線基地局ｅＮＢ＃２と交換局ＭＭＥとの間で設定されているＳ１コネクションである。
【先行技術文献】
【非特許文献】
【００１０】
【非特許文献１】３ＧＰＰ  ＴＳ３６.３３１  ｖ８.３.０
【非特許文献２】３ＧＰＰ  ＴＳ３６.３２１  ｖ８.３.０
【発明の概要】
【発明が解決しようとする課題】
【００１１】
しかしながら、かかる移動通信システムでは、移動局ＵＥは、移動局ＵＥのコンテキスト情報（ＵＥコンテキスト）を記憶している無線基地局ｅＮＢ配下のセルに対してのみハンドオーバを行うことができるように構成されている。
【００１２】
したがって、上述の無線基地局ｅＮＢ＃２が、移動局ＵＥのコンテキスト情報を記憶していない場合には、上述の「ＲＲＣ  Ｃｏｎｎｅｃｔｉｏｎ  Ｒｅ-ｅｓｔａｂｌｉｓｈｍｅｎｔ」が拒否されてしまい、移動局ＵＥは、セル選択処理によって選択されたセル＃２を管理する無線基地局ｅＮＢ＃２との間でＲＲＣコネクション＃２を設定することができないという問題点があった。
【００１３】
そこで、本発明は、上述の課題に鑑みてなされたものであり、移動局のコンテキスト情報を記憶していない無線基地局に対するコネクション再設定（再接続）を可能とする移動通信方法及び無線基地局を提供することを目的とする。
【課題を解決するための手段】
【００１４】
本発明の第１の特徴は、移動通信方法であって、第１セルにおいて第１コネクションを設定している移動局が、該第１セルを管理する無線基地局からの再構成信号に応じて、該第１コネクションの構成の変更処理を行う工程Ａと、前記移動局が、前記変更処理に成功した場合に、トランザクション識別情報を更新し、更新した該トランザクション識別情報を含む再構成完了信号を、前記該第１セルを管理する無線基地局に送信するする工程Ｂと、前記移動局が、前記第１コネクションにおける障害を検出した際に、セル選択処理を行う工程Ｃと、前記移動局が、前記セル選択処理によって選択した第２セルを管理する無線基地局に対して、前記トランザクション識別情報と前記第１セル及び前記移動局を特定可能なセキュリティパラメータとを含むコネクション再設定要求信号を送信する工程Ｄと、前記第２セルを管理する無線基地局が、前記コネクション再設定要求信号を送信した該移動局のコンテキスト情報を記憶しているか否かについて判定する工程Ｅと、前記第２セルを管理する無線基地局が、前記移動局のコンテキスト情報を記憶していないと判定した場合に、前記第１セルを管理する無線基地局に対して前記トランザクション識別情報及び前記セキュリティパラメータを含むコンテキスト要求信号を送信する工程Ｆと、前記コンテキスト要求信号を受信した前記第１セルを管理する無線基地局が、前記トランザクション識別情報及び前記セキュリティパラメータに基づいて該移動局のコンテキスト情報を特定し、特定した該移動局のコンテキスト情報を、前記第２セルを管理する無線基地局に転送する工程Ｇと、前記移動局のコンテキスト情報に基づいて、前記第２セルを管理する無線基地局及び前記移動局が、該移動局用の該第２セルにおける第２コネクションを設定する工程Ｈとを有することを要旨とする。
【００１５】
本発明の第１の特徴において、前記工程Ｅにおいて、前記第２セルを管理する無線基地局は、前記コネクション再設定要求信号に含まれる前記トランザクション識別情報と前記セキュリティパラメータとの組み合わせに基づき、前記移動局のコンテキスト情報を記憶しているか否かについて判定してもよい。
【００１６】
本発明の第２の特徴は、第２セルを管理する無線基地局であって、第１セルにおいて第１コネクションを設定している移動局から受信した前記第２セル宛てのコネクション再設定要求信号に含まれるトランザクション識別情報と該第１セル及び該移動局を特定可能なセキュリティパラメータとの組み合わせに基づいて、該移動局のコンテキスト情報を記憶しているか否かについて判定するように構成されている判定部と、前記判定部によって前記移動局のコンテキスト情報を記憶していないと判定された場合に、前記第１セルを管理する無線基地局から、該移動局のコンテキスト情報を取得するように構成されている取得部と、前記移動局のコンテキスト情報に基づいて、前記移動局と協働して、該移動局用の前記第２セルにおける第２コネクションを設定するように構成されている設定部とを具備し、前記トランザクション識別情報は、前記移動局において前記第１コネクションの構成の変更処理に成功した場合に更新される識別情報であることを要旨とする。
【００１７】
本発明の第３の特徴は、第１セルを管理する無線基地局であって、前記第１セルにおいて移動局との間で設定している第１コネクションの構成の変更処理が成功した場合に、トランザクション識別情報を更新し、任意のタイミングで、更新した該トランザクション識別情報を、第２セルを管理する無線基地局に通知するように構成されている通知部を具備することを要旨とする。
【発明の効果】
【００１８】
以上説明したように、本発明によれば、移動局のコンテキスト情報を記憶していない無線基地局に対するコネクション再設定（再接続）を可能とする移動通信方法及び無線基地局を提供することができる。
【図面の簡単な説明】
【００１９】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムで用いられる「ｓｈｏｒｔＭＡＣ-Ｉ」について説明するための図である。
【図４】本発明の第１の実施形態に係る移動通信システムで用いられる「ＡＳ-Ｃｏｎｔｅｘｔ」について説明するための図である。
【図５】本発明の第１の実施形態に係る移動通信システムで用いられる「ＲＲＣ  Ｃｏｎｎｅｃｔｉｏｎ  Ｒｅ-ｅｓｔａｂｌｉｓｈｍｅｎｔ  Ｒｅｑｕｅｓｔ」について説明するための図である。
【図６】本発明の第１の実施形態に係る移動通信システムで用いられる「Ｘ２  ＨＯ  Ｐｒｅｐａａｒｔｉｏｎ」について説明するための図である。
【図７】本発明の第１の実施形態に係る移動通信システムで用いられる「Ｘ２  ＨＯ  Ｐｒｅｐａａｒｔｉｏｎ」に含まれる「ＡＳ-Ｃｏｎｆｉｇｕｒａｔｉｏｎ」について説明するための図である。
【図８】本発明の第１の実施形態に係る移動通信システムの動作を示すシーケンス図である。
【図９】本発明の第１の実施形態に係る移動通信システムの動作を示すシーケンス図である。
【図１０】本発明の変更例１に係る移動通信システムの動作を示すシーケンス図である。
【図１１】本発明の変更例１に係る移動通信システムの動作を説明するための図である。
【図１２】本発明の変更例１に係る移動通信システムの動作を示すシーケンス図である。
【図１３】本発明の変更例２に係る移動通信システムの動作を示すシーケンス図である。
【図１４】従来の移動通信システムの動作を示すシーケンス図である。
【発明を実施するための形態】
【００２０】
（本発明の第１の実施形態に係る移動通信システムの構成）
図１乃至図７を参照して、本発明の第１の実施形態に係る移動通信システムの構成について説明する。
【００２１】
図１に示すように、本実施形態に係る移動通信システムは、ＬＴＥ方式の移動通信システムであって、交換局ＭＭＥと、セル＃１を管理する無線基地局ｅＮＢ＃１と、セル＃２を管理する無線基地局ｅＮＢ＃２とを具備している。
【００２２】
かかる移動通信システムでは、移動局ＵＥが、移動局ＵＥのコンテキスト情報を記憶している無線基地局ｅＮＢ配下のセルに対してのみハンドオーバを行うことができるように構成されている、すなわち、「Ｂａｃｋｗａｒｄ  Ｈａｎｄｏｖｅｒ」が適用されている。
【００２３】
なお、本発明は、ＬＴＥ方式の移動通信システムだけでなく、無線基地局ｅＮＢ間のハンドオーバが行われる任意の移動通信システムに対して適用可能である。
【００２４】
図２に示すように、無線基地局ｅＮＢは、ＵＥコンテキスト記憶部１１と、ＲＲＣ（Ｒａｄｉｏ  Ｒｅｓｏｕｒｃｅ  Ｃｏｎｔｒｏｌ）処理部１２と、判定部１３と、ＭＡＣ（Ｍｅｄｉａ  Ａｃｃｅｓｓ  Ｃｏｎｔｒｏｌ）処理部１４と、Ｘ２処理部１５と、Ｓ１処理部１６とを具備している。以下、無線基地局ｅＮＢを代表して、セル＃２（第２セル）を管理する無線基地局ｅＮＢ＃２の構成について説明する。
【００２５】
ＵＥコンテキスト記憶部１１は、無線基地局ｅＮＢ内で移動局ＵＥを一意に特定可能な「ＰＣＩ（Ｐｈｙｓｉｃａｌ  Ｃｅｌｌ  ＩＤ）」、「Ｃ−ＲＮＴＩ」、「ｓｈｏｒｔＭＡＣ-Ｉ」及び「ｔｒａｎｓＩｄ」を、移動局ＵＥのコンテキスト情報として記憶するように構成されている。
【００２６】
「ＰＣＩ」は、物理レイヤにおいてセルを識別するために必要な識別子で、ＬＴＥ方式では、５０４通りの「ＰＣＩ」が繰り返し利用される。また、「Ｃ-ＲＮＴＩ」は、セル内で移動局ＵＥを一意に識別するための識別子である。
【００２７】
ここで、「ｓｈｏｒｔＭＡＣ-Ｉ」は、図３に示すように、「セルＩＤ（再設定を試みるセルで報知されているＩＤ）」と「ＰＣＩ（ＲＬＦが発生したセルのＰＣＩ）」と「Ｃ-ＲＮＴＩ（ＲＬＦが発生したセルで用いていたＣ-ＲＮＴＩ）」とからなる「ＶａｒＳｈｏｒｔＭＡＣ-Ｉｎｐｕｔ」を用いて生成された１６ビットのセキュリティパラメータである。
【００２８】
具体的には、「ｓｈｏｒｔＭＡＣ-Ｉ」は、「ＶａｒＳｈｏｒｔＭＡＣ-Ｉｎｐｕｔ」に対して、現在移動局ＵＥが用いているセキュリティ鍵及びセキュリティアルゴリズムを用いて計算される改竄チェックコード「ＭＡＣ-I」の下位１６ビットを抽出したものである。
【００２９】
なお、「ｔｒａｎｓＩｄ」は、「ｒｒｃ-ＴｒａｎｓａｃｔｉｏｎＩｄｅｎｔｉｆｉｅｒ」と呼ばれてもよい。
【００３０】
また、移動局ＵＥのコンテキスト情報は、現在移動局ＵＥに対して設定されている無線ベアラに関する情報や、移動局ＵＥの無線測定に関わる設定情報等、移動局ＵＥの設定に関わる様々な情報が含まれる。
【００３１】
例えば、移動局ＵＥのコンテキスト情報には、図４に示すような「ｕｅ-ＲａｄｉｏＡｃｃｅｓｓＣａｐａｂｉｌｉｔｙＩｎｆｏ」や「ｕｅ-ＳｅｃｕｒｉｔｙＣａｐａｂｉｌｉｔｙＩｎｆｏ」や「ｒｅｅｓｔａｂｌｉｓｈｍｅｎｔＩｎｆｏ」を含む「ＡＳ-Ｃｏｎｔｅｘｔ」等が含まれていてもよい。
【００３２】
また、「ｔｒａｎｓＩｄ」は、コネクション毎に管理されており、移動局ＵＥにおいて各コネクションの構成の変更処理に成功した場合に更新される識別情報である。移動局ＵＥが処理に成功した下りメッセージに含まれる「ｔｒａｎｓＩｄ」が保持される。下りメッセージに含める「ｔｒａｎｓＩｄ」に設定する値は、無線基地局ｅＮＢの自由だが、一処理（Ｒｅｃｏｎｆｉｇｕｒａｔｉｏｎ）毎にインクリメントする運用が普通である。
【００３３】
なお、Ｒｅｃｏｎｆｉｇｕｒａｔｉｏｎでは、無線ベアラの追加・削除や、無線ベアラのパラメータの変更や、無線測定の設定等が行われる。
【００３４】
ＲＲＣ処理部１２は、移動局ＵＥのＲＲＣ機能と協働して、ＲＲＣ処理を行うように構成されている。
【００３５】
例えば、ＲＲＣ処理部１２は、移動局ＵＥから、配下のセル（例えば、セル＃２）宛ての「ＲＲＣ  Ｃｏｎｎｅｃｔｉｏｎ  Ｒｅ-ｅｓｔａｂｌｉｓｈｍｅｎｔ  Ｒｅｑｕｅｓｔ（コネクション再設定要求信号）」や「ＲＲＣ  Ｃｏｎｎｅｃｔｉｏｎ  Ｒｅ-ｅｓｔａｂｌｉｓｈｍｅｎｔ  Ｃｏｍｐｌｅｔｅ（コネクション再設定完了信号）」や「ＲＲＣ  Ｃｏｎｎｅｃｔｉｏｎ  Ｒｅｃｏｎｆｉｇｕｒａｔｉｏｎ  Ｃｏｍｐｌｅｔｅ（コネクション再構成完了信号）」を受信するように構成されている。
【００３６】
また、ＲＲＣ処理部１２は、移動局ＵＥに対して、「ＲＲＣ  Ｃｏｎｎｅｃｔｉｏｎ  Ｒｅ-ｅｓｔａｂｌｉｓｈｍｅｎｔ（コネクション再設定信号）」や「ＲＲＣ  Ｃｏｎｎｅｃｔｉｏｎ  Ｒｅｃｏｎｆｉｇｕｒａｔｉｏｎ（コネクション再構成信号）」を送信するように構成されている。
【００３７】
なお、ＲＲＣ処理部１２は、移動局ＵＥのコンテキスト情報に基づいて、移動局ＵＥと協働して、すなわち、移動局ＵＥとの間で、上述のＲＲＣメッセージをやり取りすることによって、移動局ＵＥ用のセル＃２におけるＲＲＣコネクション＃２を設定するように構成されている。
【００３８】
ここで、図５に、かかる「ＲＲＣ  Ｃｏｎｎｅｃｔｉｏｎ  Ｒｅ-ｅｓｔａｂｌｉｓｈｍｅｎｔ  Ｒｅｑｕｅｓｔ」のフォーマットの例を示す。
【００３９】
判定部１３は、ＲＲＣ処理部１２によって受信された「ＲＲＣ  Ｃｏｎｎｅｃｔｉｏｎ  Ｒｅ-ｅｓｔａｂｌｉｓｈｍｅｎｔ  Ｒｅｑｕｅｓｔ」に応じて、ＵＥコンテキスト記憶部１１に移動局ＵＥのコンテキスト情報が記憶されているか否かについて判定するように構成されている。
【００４０】
具体的には、判定部１３は、ＵＥコンテキスト記憶部１１に、ＲＲＣ処理部１２によって受信された「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれている「ＰＣＩ」と「Ｃ-ＲＮＴＩ」と「ｓｈｏｒｔＭＡＣ-Ｉ」と「ｔｒａｎｓＩｄ」とに対応する移動局ＵＥのコンテキスト情報が記憶されているか否かについて判定するように構成されている。
【００４１】
ＭＡＣ処理部１２は、移動局ＵＥのＭＡＣ機能と協働して、ＭＡＣ処理を行うように構成されている。
【００４２】
Ｘ２処理部１５は、他の無線基地局（例えば、無線基地局ｅＮＢ＃１）との間のインターフェース機能を果たすように構成されている。
【００４３】
例えば、Ｘ２処理部１５は、判定部１３によって移動局ＵＥのコンテキスト情報が記憶されていないと判定された場合に、セル＃１を管理する無線基地局ｅＮＢ＃１から、移動局ＵＥのコンテキスト情報を取得するように構成されている。
【００４４】
具体的には、Ｘ２処理部１５は、判定部１３によって移動局ＵＥのコンテキスト情報が記憶されていないと判定された場合に、無線基地局ｅＮＢ＃１に対して、「ＰＣＩ」、「Ｃ-ＲＮＴＩ」、「ｓｈｏｒｔＭＡＣ-Ｉ」及び「ｔｒａｎｓＩｄ」を含む「Ｆｏｒｗａｒｄ  ＨＯ  Ｒｅｑｕｅｓｔ（フォワードハンドオーバ要求信号）」を送信することによって、「Ｘ２  ＨＯ  Ｐｒｅｐａｒａｔｉｏｎ（ハンドオーバ準備信号）」を介して、移動局ＵＥのコンテキスト情報を取得するように構成されている。
【００４５】
ここで、図６及び図７に、かかる「Ｘ２  ＨＯ  Ｐｒｅｐａｒａｔｉｏｎ」のフォーマットの例を示す。
【００４６】
Ｓ１処理部１６は、交換局ＭＭＥとの間のインターフェース機能を果たすように構成されている。なお、Ｓ１処理部１６は、交換局ＭＭＥとの間のＳ１コネクションの設定管理を行うように構成されている。
【００４７】
例えば、Ｓ１処理部１６は、交換局ＭＭＥに対して「Ｓ１  Ｐａｔｈ  Ｓｗｉｔｃｈ」を送信し、交換局ＭＭＥから「Ｓ１  Ｐａｔｈ  Ｓｗｉｔｃｈ  Ａｃｋ」を受信するように構成されている。
【００４８】
（本発明の第１の実施形態に係る移動通信システムの動作）
第１に、図８を参照して、本発明の第１の実施形態に係る移動通信システムの動作例１について説明する。
【００４９】
図８に示すように、移動局ＵＥと無線基地局ｅＮＢ＃１との間でＲＲＣコネクション＃１が設定されており、無線基地局ｅＮＢ＃１と交換局ＭＭＥとの間でＳ１コネクション＃１が設定されている状態で、ステップＳ１００１において、セル＃１を管理する無線基地局ｅＮＢ＃１が、移動局ＵＥのコネクション（無線ベアラ）の構成を変更（追加や解放も含む）するために、移動局ＵＥに対して、「ｔｒａｎｓＩｄ（＝ｎ）」を含む「ＲＲＣ  Ｃｏｎｅｃｔｉｏｎ  Ｒｅｃｏｎｆｉｇｕｒａｔｉｏｎ」を送信する。
【００５０】
移動局ＵＥは、「ＲＲＣ  Ｃｏｎｅｃｔｉｏｎ  Ｒｅｃｏｎｆｉｇｕｒａｔｉｏｎ」に応じて、コネクションの構成の変更処理（例えば、無線ベアラの追加や削除等）を行い、かかる変更処理に成功した場合に、ステップＳ１００２において、無線基地局ｅＮＢ＃１に対して、その旨を示す「ＲＲＣ  Ｃｏｎｅｃｔｉｏｎ  Ｒｅｃｏｎｆｉｇｕｒａｔｉｏｎ  Ｃｏｍｐｌｅｔｅ」を送信する。
【００５１】
ステップＳ１００３Ｂにおいて、無線基地局ｅＮＢ＃１によって移動局ＵＥに対して送信された「ｔｒａｎｓＩｄ（＝ｎ＋１）」を含む「ＲＲＣ  Ｃｏｎｅｃｔｉｏｎ  Ｒｅｃｏｎｆｉｇｕｒａｔｉｏｎ」が移動局ＵＥに到達する前に、移動局ＵＥが、ステップＳ１００３Ａにおいて、ＲＬＦ（ＲＲＣコネクション＃１における障害）を検出すると、ステップＳ１００４において、セル選択処理を行う。
【００５２】
例えば、移動局ＵＥは、Ｎ３１０回、ＲＲＣコネクション＃１における同期外れ状態を検出し、その後、タイマＴ３１０を起動して、タイマＴ３１０が満了するまでに、かかる同期外れ状態が解消されない場合に、ＲＬＦを検出する。
【００５３】
ステップＳ１００５において、移動局ＵＥは、セル選択処理によって選択されたセル＃２を管理する無線基地局ｅＮＢ＃２に対して、「ＰＣＩ」、「Ｃ-ＲＮＴＩ」、「ｓｈｏｒｔＭＡＣ-I」及び「ｔｒａｎｓＩｄ（＝ｎ）」を含む「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。
【００５４】
このとき「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含めて送信する「ｔｒａｎｓＩｄ」は、移動局ＵＥがステップＳ１００１において受信した「ＲＲＣ  Ｃｏｎｎｅｃｔｉｏｎ  Ｒｅｃｏｎｆｉｇｕｒａｔｉｏｎ」に含まれる「ｔｒａｎｓＩｄ」の下位ビットのみであってもよい。
【００５５】
無線基地局ｅＮＢ＃２は、ステップＳ１００６において、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ＰＣＩ」、「Ｃ-ＲＮＴＩ」、「ｓｈｏｒｔＭＡＣ-I」及び「ｔｒａｎｓＩｄ（＝ｎ）」に対応する移動局ＵＥのコンテキスト情報を記憶していないと判定した場合、ステップＳ１００７において、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ＰＣＩ」に基づいて、無線基地局ｅＮＢ＃１を特定し、無線基地局ｅＮＢ＃１に対して、上述の「ＰＣＩ」、「Ｃ-ＲＮＴＩ」、「ｓｈｏｒｔＭＡＣ-I」及び「ｔｒａｎｓＩｄ（＝ｎ）」を含む「Ｆｏｒｗａｒｄ  ＨＯ  Ｒｅｑｕｅｓｔ」（「ＵＥ  Ｃｏｎｔｅｘｔ  Ｒｅｑｕｅｓｔ」等、他の名前で呼ばれてもよい）を送信する。
【００５６】
無線基地局ｅＮＢ＃１は、ステップＳ１００８において、受信した「Ｆｏｒｗａｒｄ  ＨＯ  Ｒｅｑｕｅｓｔ」に含まれる「ＰＣＩ」、「Ｃ-ＲＮＴＩ」、「ｓｈｏｒｔＭＡＣ-I」及び「ｔｒａｎｓＩｄ（＝ｎ）」に対応する移動局ＵＥのコンテキスト情報を記憶していると判定した場合、ステップＳ１００９において、無線基地局ｅＮＢ＃２に対して、当該移動局ＵＥのコンテキスト情報を含む「Ｘ２  ＨＯ  Ｐｒｅｐａｒｔｉｏｎ」を送信する（移動局ＵＥのコンテキスト情報を記憶していないと判定した場合、「Ｘ２  ＨＯ  Ｐｒｅｐａｒａｔｉｏｎ」の代わりに「Ｆｏｒｗａｒｄ  ＨＯ  Ｒｅｊｅｃｔ」を送信する）。
【００５７】
ステップＳ１０１０において、無線基地局ｅＮＢ＃２は、移動局ＵＥに対して、「ＲＲＣ  Ｃｏｎｎｅｃｔｉｏｎ  Ｒｅ-ｅｓｔａｂｌｉｓｈｍｅｎｔ」を送信する。
【００５８】
ここで、無線基地局ｅＮＢ＃１から「Ｆｏｒｗａｒｄ  ＨＯ  Ｒｅｊｅｃｔ」が返ってきた場合は、「ＲＲＣ  Ｃｏｎｎｅｃｔｉｏｎ  Ｒｅ-ｅｓｔａｂｌｉｓｈｍｅｎｔ  Ｒｅｊｅｃｔ」を代わりに送信する。これにより、コネクション再設定は失敗に終わり、移動局ＵＥは、ＲＲＣコネクションを解放して、「ＲＲＣ＿ＩＤＬＥ状態」となる。
【００５９】
ステップＳ１０１１において、移動局ＵＥは、無線基地局ｅＮＢ＃２に対して、「ＲＲＣ  Ｃｏｎｎｅｃｔｉｏｎ  Ｒｅ-ｅｓｔａｂｌｉｓｈｍｅｎｔ  Ｃｏｍｐｌｅｔｅ」を送信する。
【００６０】
無線基地局ｅＮＢ＃２は、ステップＳ１０１２において、無線基地局ｅＮＢ＃１に対して、「Ｘ２  ＨＯ  Ｐｒｅｐａｒｔｉｏｎ  Ａｃｋ」を送信し、ステップＳ１０１３において、交換局ＭＭＥに対して、「Ｓ１  Ｐａｔｈ  Ｓｗｉｔｃｈ」を送信し、ステップ１０１４において、移動局ＵＥに対して、「ｔｒａｎｓＩｄ（＝ｎ＋１）」を含む「ＲＲＣ  Ｃｏｎｎｅｃｔｉｏｎ  Ｒｅｃｏｎｆｉｇｕｒａｔｉｏｎ」を送信する。このときの「ｔｒａｎｓＩｄ」は、任意の値であってもよい。
【００６１】
ステップＳ１０１５において、移動局ＵＥは、かかる「ＲＲＣ  Ｃｏｎｅｃｔｉｏｎ  Ｒｅｃｏｎｆｉｇｕｒａｔｉｏｎ」に応じて、コネクションの構成の変更処理を行い、かかる変更処理に成功した場合に、無線基地局ｅＮＢ＃２に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信し、ステップＳ１０１６において、交換局ＭＭＥは、無線基地局ｅＮＢ＃２に対して、「Ｓ１  Ｐａｔｈ  Ｓｗｉｔｃｈ  Ａｃｋ」を送信する。
【００６２】
この結果、ＲＲＣコネクション＃１のＲＲＣコネクション＃２への切り替え、及び、Ｓ１コネクション＃１のＳ１コネクション＃２への切り替えが完了する。ここで、ＲＲＣコネクション＃２は、移動局ＵＥと無線基地局ｅＮＢ＃２との間で設定されているＲＲＣコネクションであり、Ｓ１コネクション＃２は、無線基地局ｅＮＢ＃２と交換局ＭＭＥとの間で設定されているＳ１コネクションである。
【００６３】
第２に、図９を参照して、本発明の第１の実施形態に係る移動通信システムの動作例２について説明する。
【００６４】
図９に示すように、移動局ＵＥと無線基地局ｅＮＢ＃１との間でＲＲＣコネクション＃１が設定されており、無線基地局ｅＮＢ＃１と交換局ＭＭＥとの間でＳ１コネクション＃１が設定されている状態で、ステップＳ２００１において、セル＃１を管理する無線基地局ｅＮＢ＃１が、移動局ＵＥのコネクションの構成の変更処理（例えば、無線ベアラの追加や削除等）を行うために、移動局ＵＥに対して、「ｔｒａｎｓＩｄ（＝ｎ）」を含む「ＲＲＣ  Ｃｏｎｅｃｔｉｏｎ  Ｒｅｃｏｎｆｉｇｕｒａｔｉｏｎ」を送信する。
【００６５】
移動局ＵＥは、「ＲＲＣ  Ｃｏｎｅｃｔｉｏｎ  Ｒｅｃｏｎｆｉｇｕｒａｔｉｏｎ」に応じて、コネクションの構成の変更処理を行い、かかる変更処理に成功した場合に、ステップＳ２００２において、無線基地局ｅＮＢ＃１に対して、その旨を示す「ＲＲＣ  Ｃｏｎｅｃｔｉｏｎ  Ｒｅｃｏｎｆｉｇｕｒａｔｉｏｎ  Ｃｏｍｐｌｅｔｅ」を送信する。
【００６６】
ステップＳ２００３において、無線基地局ｅＮＢ＃１が、移動局ＵＥに対して、「ｔｒａｎｓＩｄ（＝ｎ＋１）」を含む「ＲＲＣ  Ｃｏｎｅｃｔｉｏｎ  Ｒｅｃｏｎｆｉｇｕｒａｔｉｏｎ」を送信する。
【００６７】
移動局ＵＥは、「ＲＲＣ  Ｃｏｎｅｃｔｉｏｎ  Ｒｅｃｏｎｆｉｇｕｒａｔｉｏｎ」に応じて、コネクションの構成の変更処理を行い、かかる変更処理に成功した場合に、ステップＳ２００４において、無線基地局ｅＮＢ＃１に対して、その旨を示す「ＲＲＣ  Ｃｏｎｅｃｔｉｏｎ  Ｒｅｃｏｎｆｉｇｕｒａｔｉｏｎ  Ｃｏｍｐｌｅｔｅ」を送信するが、かかる「ＲＲＣ  Ｃｏｎｅｃｔｉｏｎ  Ｒｅｃｏｎｆｉｇｕｒａｔｉｏｎ  Ｃｏｍｐｌｅｔｅ」が無線基地局ｅＮＢ＃１に到達する前に、移動局ＵＥが、ステップＳ２００５において、ステップＲＬＦ（ＲＲＣコネクション＃１における障害）を検出すると、ステップ２００６において、セル選択処理を行う。
【００６８】
ステップＳ２００７において、移動局ＵＥは、セル選択処理によって選択されたセル＃２を管理する無線基地局ｅＮＢ＃２に対して、「ＰＣＩ」、「Ｃ-ＲＮＴＩ」、「ｓｈｏｒｔＭＡＣ-Ｉ」及び「ｔｒａｎｓＩｄ（＝ｎ＋１）」を含む「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。
【００６９】
このとき「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含めて送信する「ｔｒａｎｓＩｄ」は、移動局ＵＥがステップＳ２００３において受信した「ＲＲＣ  Ｃｏｎｎｅｃｔｉｏｎ  Ｒｅｃｏｎｆｉｇｕｒａｔｉｏｎ」に含まれる「ｔｒａｎｓＩｄ」の下位ビットのみであっても良い。
【００７０】
無線基地局ｅＮＢ＃２は、ステップＳ２００８において、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ＰＣＩ」、「Ｃ-ＲＮＴＩ」、「ｓｈｏｒｔＭＡＣ-Ｉ」及び「ｔｒａｎｓＩｄ（＝ｎ＋１）」に対応する移動局ＵＥのコンテキスト情報を記憶していないと判定した場合、ステップＳ２００９において、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ＰＣＩ」に基づいて、無線基地局ｅＮＢ＃１を特定し、無線基地局ｅＮＢ＃１に対して、上述の「ＰＣＩ」、「Ｃ-ＲＮＴＩ」、「ｓｈｏｒｔＭＡＣ-Ｉ」及び「ｔｒａｎｓＩｄ（＝ｎ＋１）」を含む「Ｆｏｒｗａｒｄ  ＨＯ  Ｒｅｑｕｅｓｔ」（「ＵＥ  Ｃｏｎｔｅｘｔ  Ｒｅｑｕｅｓｔ」等、他の名前で呼ばれてもよい）を送信する。
【００７１】
無線基地局ｅＮＢ＃１は、ステップＳ２０１０において、受信した「Ｆｏｒｗａｒｄ  ＨＯ  Ｒｅｑｕｅｓｔ」に含まれる「ＰＣＩ」、「Ｃ-ＲＮＴＩ」、「ｓｈｏｒｔＭＡＣ-Ｉ」及び「ｔｒａｎｓＩｄ（＝ｎ＋１）」に対応する移動局ＵＥのコンテキスト情報を記憶していると判定した場合、ステップＳ２０１１において、無線基地局ｅＮＢ＃２に対して、当該移動局ＵＥのコンテキスト情報を含む「Ｘ２  ＨＯ  Ｐｒｅｐａｒｔｉｏｎ」を送信する（移動局ＵＥのコンテキスト情報を記憶していないと判定した場合、「Ｘ２  ＨＯ  Ｐｒｅｐａｒａｔｉｏｎ」の代わりに「Ｆｏｒｗａｒｄ  ＨＯ  Ｒｅｊｅｃｔ」を送信する）。
【００７２】
ステップＳ２０１２において、無線基地局ｅＮＢ＃２は、移動局ＵＥに対して、「ＲＲＣ  Ｃｏｎｎｅｃｔｉｏｎ  Ｒｅ-ｅｓｔａｂｌｉｓｈｍｅｎｔ」を送信する。
【００７３】
ここで、無線基地局ｅＮＢ＃１から「Ｆｏｒｗａｒｄ  ＨＯ  Ｒｅｊｅｃｔ」が返ってきた場合は、「ＲＲＣ  Ｃｏｎｎｅｃｔｉｏｎ  Ｒｅ-ｅｓｔａｂｌｉｓｈｍｅｎｔ  Ｒｅｊｅｃｔ」を代わりに送信する。これにより、コネクション再設定は失敗に終わり、移動局ＵＥは、ＲＲＣコネクションを解放して、「ＲＲＣ＿ＩＤＬＥ状態」となる。
【００７４】
ステップＳ２０１３において、移動局ＵＥは、無線基地局ｅＮＢ＃２に対して、「ＲＲＣ  Ｃｏｎｎｅｃｔｉｏｎ  Ｒｅ-ｅｓｔａｂｌｉｓｈｍｅｎｔ  Ｃｏｍｐｌｅｔｅ」を送信する。
【００７５】
無線基地局ｅＮＢ＃２は、ステップＳ２０１４において、無線基地局ｅＮＢ＃１に対して、「Ｘ２  ＨＯ  Ｐｒｅｐａｒｔｉｏｎ  Ａｃｋ」を送信し、ステップＳ２０１５において、交換局ＭＭＥに対して、「Ｓ１  Ｐａｔｈ  Ｓｗｉｔｃｈ」を送信し、ステップ２０１６において、移動局ＵＥに対して、「ｔｒａｎｓＩｄ（＝ｎ＋２）」を含む「ＲＲＣ  Ｃｏｎｎｅｃｔｉｏｎ  Ｒｅｃｏｎｆｉｇｕｒａｔｉｏｎ」を送信する。このときの「ｔｒａｎｓＩｄ」は、任意の値であってもよい。
【００７６】
ステップＳ２０１７において、移動局ＵＥは、かかる「ＲＲＣ  Ｃｏｎｅｃｔｉｏｎ  Ｒｅｃｏｎｆｉｇｕｒａｔｉｏｎ」に応じて、コネクションの構成の変更処理を行い、かかる変更処理に成功した場合に、無線基地局ｅＮＢ＃２に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信し、ステップＳ２０１８において、交換局ＭＭＥは、無線基地局ｅＮＢ＃２に対して、「Ｓ１  Ｐａｔｈ  Ｓｗｉｔｃｈ  Ａｃｋ」を送信する。
【００７７】
この結果、ＲＲＣコネクション＃１のＲＲＣコネクション＃２への切り替え、及び、Ｓ１コネクション＃１のＳ１コネクション＃２への切り替えが完了する。ここで、ＲＲＣコネクション＃２は、移動局ＵＥと無線基地局ｅＮＢ＃２との間で設定されているＲＲＣコネクションであり、Ｓ１コネクション＃２は、無線基地局ｅＮＢ＃２と交換局ＭＭＥとの間で設定されているＳ１コネクションである。
【００７８】
複数キャリアを有する移動通信システムでは、同一の無線基地局ｅＮＢが、キャリアが異なる複数のセルをオーバーレイ運用している場合がある。このような場合には、オーバーレイしているセルでは、同一の「ＰＣＩ」が適用されることが想定される。
【００７９】
移動局ＵＥは、ＲＬＦを検出した場合に、セル選択を行うが、このとき、異キャリアのセルを選択してもよい。よって、「ＰＣＩ」及び「Ｃ-ＲＮＴＩ」のみでは、無線基地局ｅＮＢ内の移動局ＵＥのコンテキスト情報を一意に特定できない問題がある。
【００８０】
ここで、「ｓｈｏｒｔＭＡＣ-Ｉ」は、上述の通り、「ＶａｒＳｈｏｒｔＭＡＣ-Ｉｎｐｕｔ」に対して、現在移動局ＵＥが用いているセキュリティ鍵及びセキュリティアルゴリズムを用いて計算される改竄チェックコード「ＭＡＣ-I」の下位１６ビットを抽出したものである。
【００８１】
セキュリティ鍵は、移動局ＵＥ毎に異なり、更には、通信するセルが変わる毎に更新される。よって、同一の「ＰＣＩ」を用いる異キャリアのセルでは、仮に同一の「Ｃ-ＲＮＴＩ」を用いる移動局ＵＥが居ても、セキュリティ鍵が異なる。よって、「ｓｈｏｒｔＭＡＣ-Ｉ」を用いることで、無線基地局ｅＮＢ内の移動局ＵＥのコンテキスト情報を一意に特定できる。
【００８２】
「Ｆｏｒｗａｒｄ  ＨＯ  Ｒｅｑｕｅｓｔ」に「ｓｈｏｒｔＭＡＣ-Ｉ」まで含めることで、無線基地局ｅＮＢ＃１において移動局ＵＥのコンテキスト情報を特定することが可能となる。
【００８３】
また、「ＲＲＣ  Ｃｏｎｎｅｃｔｉｏｎ  Ｒｅｅｓｔａｂｌｉｓｈｍｅｎｔ  Ｒｅｑｕｅｓｔ」及び「Ｆｏｒｗａｒｄ  ＨＯ  Ｒｅｑｕｅｓｔ」に「ｔｒａｎｓＩｄ」を含めることで、無線基地局ｅＮＢ＃１において、移動局ＵＥのコンテキスト情報の状態（コネクションの構成の状態）を正しく認識することができる。
【００８４】
（本発明の第１の実施形態に係る移動通信システムの作用・効果）
本発明の第１の実施形態に係る移動通信システムによれば、無線基地局ｅＮＢ＃２が、移動局ＵＥのコンテキスト情報を記憶していない場合であっても、無線基地局ｅＮＢ＃１から、移動局ＵＥのコンテキスト情報を取得することができるため、移動局ＵＥは、移動局ＵＥのコンテキスト情報を記憶していない無線基地局ｅＮＢ＃２に対してコネクション再設定（再接続）を行うことができる。
【００８５】
また、本発明の第１の実施形態に係る移動通信システムによれば、移動局ＵＥが、無線基地局＃１によって送信された「ＲＲＣ  Ｃｏｎｅｃｔｉｏｎ  Ｒｅｃｏｎｆｉｇｕｒａｔｉｏｎ」を受信する前に、ＲＲＣコネクション＃１におけるＲＬＦを検出した場合であっても、移動局ＵＥと無線基地局＃１と無線基地局＃２とが、移動局ＵＥのコネクションの構成の状態を正しく認識することができる。
【００８６】
さらに、本発明の第１の実施形態に係る移動通信システムによれば、移動局ＵＥによって送信された「ＲＲＣ  Ｃｏｎｅｃｔｉｏｎ  Ｒｅｃｏｎｆｉｇｕｒａｔｉｏｎ  Ｃｏｍｐｌｅｔｅ」が無線基地局ｅＮＢ＃１に到達する前に、移動局ＵＥが、ＲＲＣコネクション＃１におけるＲＬＦを検出した場合であっても、移動局ＵＥと無線基地局＃１と無線基地局＃２とが、移動局ＵＥのコネクションの構成の状態を正しく認識することができる。
【００８７】
（本発明の変更例１）
図１０乃至図１２を参照して、本発明の変更例１に係る移動通信システムについて説明する。以下、本変更例１に係る移動通信システムについて、上述の第１の実施形態に係る移動通信システムとの相違点に着目して説明する。
【００８８】
本変更例１に係る移動通信システムでは、移動局ＵＥは、ランダムアクセス手順を用いて、セル選択処理によって選択された無線基地局ｅＮＢ＃２に対して、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信するように構成されている。
【００８９】
ここで、図１０及び図１１を参照して、かかる動作について説明する。
【００９０】
図１９に示すように、ステップＳ３００１において、移動局ＵＥは、無線基地局ｅＮＢ＃２に対して、ランダムアクセスプリアンブルを送信する。
【００９１】
ステップＳ３００２において、無線基地局ｅＮＢ＃２は、受信したランダムアクセスプリアンブルに応じて、移動局ＵＥに対して、ランダムアクセス応答を送信する。ここで、無線基地局ｅＮＢ＃２は、ＲＡ-ＲＮＴＩを含むＰＤＣＣＨを介して、移動局ＵＥに対して、ランダムアクセス応答を送信する。
【００９２】
ステップＳ３００３において、移動局ＵＥは、ランダムアクセス応答によって指定された上り無線リソース（ＵＬ  Ｇｒａｎｔ）を用いて、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。かかる「ＲＲＣ  Ｃｏｎｎｅｃｔｉｏｎ  Ｒｅ-ｅｓｔａｂｌｉｓｈｍｅｎｔ  Ｒｅｑｕｅｓｔ」の送信には、ＨＡＲＱ（Ｈｙｂｒｉｄ  ＡＲＱ）処理が適用される。
【００９３】
ステップＳ３００４において、無線基地局ｅＮＢ＃２は、「ＲＲＣ  Ｃｏｎｎｅｃｔｉｏｎ  Ｒｅ-ｅｓｔａｂｌｉｓｈｍｅｎｔ  Ｒｅｑｕｅｓｔ」の受信に応じて、「Ｃｏｎｔｅｎｔｉｏｎ  Ｒｅｓｏｌｕｔｉｏｎ」を送信する。
【００９４】
ステップＳ３００５において、無線基地局ｅＮＢ＃２は、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に対する応答信号である「ＲＲＣ  Ｃｏｎｎｅｃｔｉｏｎ  Ｒｅ-ｅｓｔａｂｌｉｓｈｍｅｎｔ」を送信する。かかる「ＲＲＣ  Ｃｏｎｎｅｃｔｉｏｎ  Ｒｅ-ｅｓｔａｂｌｉｓｈｍｅｎｔ」の送信には、ＨＡＲＱ処理が適用される。
【００９５】
なお、無線基地局ｅＮＢ＃２のＭＡＣ処理部１４は、移動局ＵＥによる「ＲＲＣ  Ｃｏｎｎｅｃｔｉｏｎ  Ｒｅ-ｅｓｔａｂｌｉｓｈｍｅｎｔ  Ｒｅｑｕｅｓｔ」の送信の際に起動されたＣＲ（Ｃｏｎｔｅｎｔｉｏｎ  Ｒｅｓｏｌｕｔｉｏｎ）タイマ（所定タイマ）が満了する前に、「Ｃｏｎｔｅｎｔｉｏｎ  Ｒｅｓｏｌｕｔｉｏｎ」を送信するように構成されている。
【００９６】
ここで、無線基地局ｅＮＢ＃２のＭＡＣ処理部１４は、図１１（ａ）に示すように、同一のＴＴＩ（Ｔｒａｎｓｍｉｓｓｉｏｎ  Ｔｉｍｅ  Ｉｎｔｅｒｖａｌ）において、「Ｃｏｎｔｅｎｔｉｏｎ  Ｒｅｓｏｌｕｔｉｏｎ」と「ＲＲＣ  Ｃｏｎｎｅｃｔｉｏｎ  Ｒｅ-ｅｓｔａｂｌｉｓｈｍｅｎｔ」とを連結して送信してもよいし、図１１（ｂ）に示すように、「Ｃｏｎｔｅｎｔｉｏｎ  Ｒｅｓｏｌｕｔｉｏｎ」と「ＲＲＣ  Ｃｏｎｎｅｃｔｉｏｎ  Ｒｅ-ｅｓｔａｂｌｉｓｈｍｅｎｔ」とを別に送信してもよい。
【００９７】
なお、無線基地局ｅＮＢ＃２のＭＡＣ処理部１４は、図１１（ａ）及び図１１（ｂ）の「Ｃｏｎｔｅｎｔｉｏｎ  Ｒｅｓｏｌｕｔｉｏｎ」のフィールドには、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」をコピーするように構成されている。
【００９８】
また、移動局ＵＥは、ランダムアクセス手順によって、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信した後、最初に、Ｔｅｍｐ-Ｃ-ＲＮＴＩを含むＰＤＣＣＨを介して送信される制御情報において、「Ｃｏｎｔｅｎｔｉｏｎ  Ｒｅｓｏｌｕｔｉｏｎ」が含まれているか否かについて判定するように構成されている。
【００９９】
Ｔｅｍｐ-Ｃ-ＲＮＴＩは、ランダムアクセス応答によって割り当てられたテンポラリーなＣ-ＲＮＲＩ（セル内の移動局ＵＥの識別子）である。
【０１００】
具体的には、移動局ＵＥは、かかる制御情報において、図１１（ａ）に示すように、３又は４バイト目から、「Ｃｏｎｔｅｎｔｉｏｎ  Ｒｅｓｏｌｕｔｉｏｎ」のフィールドが始まるものとして、ＭＡＣヘッダ及びＭＡＣ拡張ヘッダを解析することなく、「Ｃｏｎｔｅｎｔｉｏｎ  Ｒｅｓｏｌｕｔｉｏｎ」が含まれているか否かについて判定するように構成されていてもよいし、図１１（ｂ）に示すように、２バイト目から、「Ｃｏｎｔｅｎｔｉｏｎ  Ｒｅｓｏｌｕｔｉｏｎ」のフィールドが始まるものとして、ＭＡＣヘッダを解析することなく、「Ｃｏｎｔｅｎｔｉｏｎ  Ｒｅｓｏｌｕｔｉｏｎ」が含まれているか否かについて判定するように構成されていてもよい。
【０１０１】
「Ｃｏｎｔｅｎｔｉｏｎ  Ｒｅｓｏｌｕｔｉｏｎ」に対しては、ＨＡＲＱが適用されるが、複数の移動局ＵＥが、ランダムアクセスを同時に行い、衝突している可能性があるため、通常のＨＡＲＱのＭＡＣ処理とは異なり、移動局ＵＥは、自身が送信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」が「Ｃｏｎｔｅｎｔｉｏｎ  Ｒｅｓｏｌｕｔｉｏｎ」によってエコーバックされたことが確認された場合にのみ、ＨＡＲＱ  Ａｃｋのフィードバックを送信する。
【０１０２】
その他の場合（デコードに失敗してＨＡＲＱ  Ｎａｃｋの場合及び「Ｃｏｎｔｅｎｔｉｏｎ  Ｒｅｓｏｌｕｔｉｏｎ」のエコーバック内容が一致しない場合）は、移動局ＵＥは、ＨＡＲＱのＡｃｋ／Ｎａｃｋフィードバックは送信しない。
【０１０３】
ところが、ＨＡＲＱのフィードバックは、ＨＡＲＱが動作するＲＴＴ（ｒｏｕｎｄ  ｔｒｉｐ  ｔｉｍｅ）を満たすようなタイミングで送信する必要がある。よって、処理速度に対する要求が厳しく、ＭＡＣヘッダを解析する処理時間を取ることができない。
【０１０４】
したがって、移動局ＵＥは、ＭＡＣヘッダを解析することなく、「Ｃｏｎｔｅｎｔｉｏｎ  Ｒｅｓｏｌｕｔｉｏｎ」のバイト位置を決めて、エコーバック内容のビットストリングの比較が直接行えるように構成されていることが望ましい。
【０１０５】
以下、図１２を参照して、本変更例１に係る移動通信システムの動作について説明する。
【０１０６】
図１２に示すように、移動局ＵＥと無線基地局ｅＮＢ＃１との間でＲＲＣコネクション＃１が設定されており、無線基地局ｅＮＢ＃１と交換局ＭＭＥとの間でＳ１コネクション＃１が設定されている状態で、移動局ＵＥが、ステップＳ４００１において、ＲＬＦ（ＲＲＣコネクション＃１における障害）を検出すると、ステップＳ４００２において、セル選択処理を行う。
【０１０７】
ステップＳ４００３において、移動局ＵＥは、セル選択処理によって選択されたセル＃２を管理する無線基地局ｅＮＢ＃２に対して、「ＰＣＩ」、「Ｃ-ＲＮＴＩ」「ｓｈｏｒｔＭＡＣ-Ｉ」及び「ｔｒａｎｓＩｄ（＝ｎ）」を含む「「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。
【０１０８】
この際、ステップＳ４００３Ａにおいて、無線基地局ｅＮＢ＃２は、ＣＲタイマが満了する前の任意のタイミングで、移動局ＵＥに対して、「Ｃｏｎｔｅｎｔｉｏｎ  Ｒｅｓｏｌｕｔｉｏｎ」を送信する。
【０１０９】
ステップＳ４００４乃至Ｓ４０１４の動作は、図８に示すステップＳ１００６乃至Ｓ１０１６の動作と同一である。
【０１１０】
なお、ステップＳ４００８における「ＲＲＣ  Ｃｏｎｎｅｃｔｉｏｎ  Ｒｅ-ｅｓｔａｂｌｉｓｈｍｅｎｔ」が、タイマＴ３０１が満了するまでに移動局ＵＥに到達しない場合、移動局ＵＥは、セル＃２におけるＲＲＣコネクション＃２の設定に失敗したものと判断する。かかる場合、移動局ＵＥは、ＲＲＣコネクションを解放し、「ＲＲＣ＿ＩＤＬＥ状態」となる。
【０１１１】
以下、本変更例１に係る移動通信システムの作用・効果について説明する。
【０１１２】
本発明の第１の実施形態に係る移動通信システムでは、無線基地局ｅＮＢ＃２が、移動局ＵＥから「ＲＲＣ  Ｃｏｎｎｅｃｔｉｏｎ  Ｒｅ-ｅｓｔａｂｌｉｓｈｍｅｎｔ  Ｒｅｑｕｅｓｔ」を受信した場合で、かつ、かかる「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ＰＣＩ」、「Ｃ-ＲＮＴＩ」、「ｓｈｏｒｔＭＡＣ-Ｉ」及び「ｔｒａｎｓＩｄ（＝ｎ）」に対応する移動局ＵＥのコンテキスト情報を記憶していない場合には、無線基地局ｅＮＢ＃１から、移動局ＵＥのコンテキスト情報を取得する必要がある。
【０１１３】
したがって、無線基地局ｅＮＢ＃２が、同一のＴＴＩにおいて「ＲＲＣ  Ｃｏｎｎｅｃｔｉｏｎ  Ｒｅ-ｅｓｔａｂｌｉｓｈｍｅｎｔ」と「Ｃｏｎｔｅｎｔｉｏｎ  Ｒｅｓｏｌｕｔｉｏｎ」とを連結して送信すると、「Ｃｏｎｔｅｎｔｉｏｎ  Ｒｅｓｏｌｕｔｉｏｎ」が、ＣＲタイマが満了するまでに移動局ＵＥに到達せず、「ＲＲＣ  Ｃｏｎｎｅｃｔｉｏｎ  Ｒｅ-ｅｓｔａｂｌｉｓｈｍｅｎｔ  Ｒｅｑｕｅｓｔ」が無線基地局ｅＮＢ＃２に正常に到達している場合であっても、ランダムアクセス手順が繰り返し行われてしまう場合がある。
【０１１４】
そのため、本変更例１に係る移動通信システムのように、無線基地局ｅＮＢ＃２が、ＣＲタイマが満了する前の任意のタイミングで、移動局ＵＥに対して、「Ｃｏｎｔｅｎｔｉｏｎ  Ｒｅｓｏｌｕｔｉｏｎ」を送信することによって、かかる不具合を解消することができる。
【０１１５】
特に、無線基地局ｅＮＢ＃２は、移動局ＵＥから「ＲＲＣ  Ｃｏｎｎｅｃｔｉｏｎ  Ｒｅ-ｅｓｔａｂｌｉｓｈｍｅｎｔ  Ｒｅｑｕｅｓｔ」を受信した場合で、かつ、移動局ＵＥのコンテキスト情報を記憶していない場合には、ＣＲタイマが満了する前の任意のタイミングで、移動局ＵＥに対して、「Ｃｏｎｔｅｎｔｉｏｎ  Ｒｅｓｏｌｕｔｉｏｎ」を送信することが好ましい。
【０１１６】
（本発明の変更例２）
図１３を参照して、本発明の変更例２に係る移動通信システムについて説明する。以下、本変更例１に係る移動通信システムについて、上述の第１の実施形態に係る移動通信システムとの相違点に着目して説明する。
【０１１７】
本変更例２に係る移動通信システムにおいて、無線基地局ｅＮＢ＃１のＸ２処理部１５は、セル＃１において移動局ＵＥとの間で設定しているコネクションの構成の変更処理が成功した場合に、「ｔｒａｎｓＩｄ」を更新し、任意のタイミングで、無線基地局ｅＮＢ＃２に対して、更新した「ｔｒａｎｓＩｄ」を含む「ＨＯ  Ｐｒｅｐａｒａｔｉｏｎ」を送信することによって、更新した「ｔｒａｎｓＩｄ」を通知するように構成されている。
【０１１８】
また、無線基地局ｅＮＢ＃２のＵＥコンテキスト記憶部１１は、無線基地局ｅＮＢ＃１によって通知された「ｔｒａｎｓＩｄ（「ＨＯ  Ｐｒｅｐａｒａｔｉｏｎ」に含まれる「ｔｒａｎｓＩｄ」）」に応じて、記憶している移動局ＵＥのコンテキスト情報に対応する「ｔｒａｎｓＩｄ」を更新するように構成されている。
【０１１９】
以下、図１３を参照して、本発明の変更例２に係る移動通信システムの動作について説明する。
【０１２０】
図１３に示すように、移動局ＵＥと無線基地局ｅＮＢ＃１との間でＲＲＣコネクション＃１が設定されており、無線基地局ｅＮＢ＃１と交換局ＭＭＥとの間でＳ１コネクション＃１が設定されている状態で、ステップＳ４１０１において、セル＃１を管理する無線基地局ｅＮＢ＃１が、移動局ＵＥのコネクションの構成の変更処理（例えば、無線ベアラの追加や削除等）を行うために、移動局ＵＥに対して、「ｔｒａｎｓＩｄ（＝ｎ）」を含む「ＲＲＣ  Ｃｏｎｅｃｔｉｏｎ  Ｒｅｃｏｎｆｉｇｕｒａｔｉｏｎ」を送信する。
【０１２１】
移動局ＵＥは、「ＲＲＣ  Ｃｏｎｅｃｔｉｏｎ  Ｒｅｃｏｎｆｉｇｕｒａｔｉｏｎ」に応じて、コネクションの構成の変更処理を行い、かかる変更処理に成功した場合に、ステップＳ４１０２において、無線基地局ｅＮＢ＃１に対して、その旨を示す「ＲＲＣ  Ｃｏｎｅｃｔｉｏｎ  Ｒｅｃｏｎｆｉｇｕｒａｔｉｏｎ  Ｃｏｍｐｌｅｔｅ」を送信する。
【０１２２】
ここで、ステップＳ４１０３において、無線基地局ｅＮＢ＃１は、突然のＲＬＦの発生を考慮して、周辺無線基地局である無線基地局ｅＮＢ２に対して、任意のタイミングで、更新した「ｔｒａｎｓＩｄ（＝ｎ）」を含む「ＨＯ  Ｐｒｅｐａｒａｔｉｏｎ」を送信する。
【０１２３】
無線基地局ｅＮＢ２は、受信した「ＨＯ  Ｐｒｅｐａｒａｔｉｏｎ」に含まれている「ｔｒａｎｓＩｄ（＝ｎ）」に基づいて、移動局ＵＥのコンテキスト情報を更新し、ステップＳ４１０４において、無線基地局ｅＮＢ＃１に対して、「ＨＯ  Ｐｒｅｐａｒａｔｉｏｎ  Ａｃｋ」を送信する。
【０１２４】
ステップＳ４１０５において、無線基地局ｅＮＢ＃１が、移動局ＵＥのコネクションの構成の変更処理（例えば、無線ベアラの追加や削除等）を行うために、移動局ＵＥに対して、「ｔｒａｎｓＩｄ（＝ｎ＋１）」を含む「ＲＲＣ  Ｃｏｎｅｃｔｉｏｎ  Ｒｅｃｏｎｆｉｇｕｒａｔｉｏｎ」を送信する。
【０１２５】
移動局ＵＥは、「ＲＲＣ  Ｃｏｎｅｃｔｉｏｎ  Ｒｅｃｏｎｆｉｇｕｒａｔｉｏｎ」に応じて、かかるコネクションの構成の変更処理を行い、かかる変更処理に成功した場合に、ステップＳ４１０６において、  無線基地局ｅＮＢ＃１に対して、その旨を示す「ＲＲＣ  Ｃｏｎｅｃｔｉｏｎ  Ｒｅｃｏｎｆｉｇｕｒａｔｉｏｎ  Ｃｏｍｐｌｅｔｅ」を送信するが、かかる「ＲＲＣ  Ｃｏｎｅｃｔｉｏｎ  Ｒｅｃｏｎｆｉｇｕｒａｔｉｏｎ  Ｃｏｍｐｌｅｔｅ」が無線基地局ｅＮＢ＃１に到達する前に、移動局ＵＥが、ステップＳ４１０７において、ステップＲＬＦ（ＲＲＣコネクション＃１における障害）を検出すると、ステップ４１０８において、セル選択処理を行う。
【０１２６】
ステップＳ４１０９において、移動局ＵＥは、セル選択処理によって選択されたセル＃２を管理する無線基地局ｅＮＢ＃２に対して、「ＰＣＩ」、「Ｃ-ＲＮＴＩ」、「ｓｈｏｒｔＭＡＣ-I」及び「ｔｒａｎｓＩｄ（＝ｎ＋１）」を含む「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。
【０１２７】
無線基地局ｅＮＢ＃２は、ステップＳ４１１０において、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ＰＣＩ」、「Ｃ-ＲＮＴＩ」、「ｓｈｏｒｔＭＡＣ-I」及び「ｔｒａｎｓＩｄ（＝ｎ＋１）」に対応する移動局ＵＥのコンテキスト情報を記憶しているか否かについて判定する。
【０１２８】
図１３の例では、無線基地局ｅＮＢ＃２は、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ＰＣＩ」、「Ｃ-ＲＮＴＩ」、「ｓｈｏｒｔＭＡＣ-I」に対応する移動局ＵＥのコンテキスト情報については記憶している。
【０１２９】
しかしながら、かかる移動局ＵＥのコンテキスト情報に対応する「ｔｒａｎｓＩｄ（＝ｎ）」と、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ｔｒａｎｓＩｄ（＝ｎ＋１）」とが異なるため、無線基地局ｅＮＢ＃２は、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ＰＣＩ」、「Ｃ-ＲＮＴＩ」、「ｓｈｏｒｔＭＡＣ-I」に対応する移動局ＵＥの最新のコンテキスト情報を記憶していないと判定した場合、ステップＳ４１１１において、受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ＰＣＩ」に基づいて、無線基地局ｅＮＢ＃１を特定し、無線基地局ｅＮＢ＃１に対して、上述の「ＰＣＩ」、「Ｃ-ＲＮＴＩ」、「ｓｈｏｒｔＭＡＣ-I」及び「ｔｒａｎｓＩｄ（＝ｎ＋１）」を含む「Ｆｏｒｗａｒｄ  ＨＯ  Ｒｅｑｕｅｓｔ」を送信する。
【０１３０】
以下、ステップＳ４１１２乃至Ｓ４１２０の動作は、図９に示すステップＳ２０１０乃至Ｓ２０１８の動作と同一である。
【０１３１】
以上に述べた本実施形態の特徴は、以下のように表現されていてもよい。
【０１３２】
本実施形態の第１の特徴は、移動通信方法であって、セル＃１（第１セル）においてＲＲＣコネクション＃１（第１コネクション）を設定している移動局ＵＥが、ＲＲＣコネクション＃１を管理する無線基地局ｅＮＢ＃１からの「ＲＲＣ  Ｃｏｎｎｅｃｔｉｏｎ  Ｒｅｃｏｎｆｉｇｕｒａｔｉｏｎ（再構成信号）」に応じて、ＲＲＣコネクション＃１の構成の変更処理を行う工程Ａと、移動局ＵＥが、かかる変更処理に成功した場合に、「ＲＲＣ  Ｃｏｎｎｅｃｔｉｏｎ  Ｒｅｃｏｎｆｉｇｕｒａｔｉｏｎ」に含まれる「ｔｒａｎｓＩｄ（トランザクション識別情報）」を記憶し、記憶した「ｔｒａｎｓＩｄ」を含む「ＲＲＣ  Ｃｏｎｎｅｃｔｉｏｎ  Ｒｅｃｏｎｆｉｇｕｒａｔｉｏｎ  Ｃｏｍｐｌｅｔｅ（再構成完了信号）」を、ＲＲＣコネクション＃１を管理する無線基地局ｅＮＢ＃１に送信するする工程Ｂと、移動局ＵＥが、ＲＲＣコネクション＃１における障害（ＲＬＦ）を検出した際に、セル選択処理を行う工程Ｃと、移動局ＵＥが、セル選択処理によって選択したセル＃２（第２セル）を管理する無線基地局ｅＮＢ＃２に対して、「ｔｒａｎｓＩｄ」とセル＃１及び移動局ＵＥを特定可能な「ｓｈｏｒｔＭＡＣ-Ｉ（セキュリティパラメータ）」とを含む「ＲＲＣ  Ｃｏｎｎｅｃｔｉｏｎ  Ｒｅ-ｅｓｔａｂｌｉｓｈｍｅｎｔ  Ｒｅｑｕｅｓｔ（コネクション再設定要求信号）」を送信する工程Ｄと、セル＃２を管理する無線基地局ｅＮＢ＃２が、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信した移動局ＵＥのコンテキスト情報を記憶しているか否かについて判定する工程Ｅと、セル＃２を管理する無線基地局ｅＮＢ＃２が、移動局ＵＥのコンテキスト情報を記憶していないと判定した場合に、セル＃１を管理する無線基地局ｅＮＢ＃１に対して「ｔｒａｎｓＩｄ」及び「ｓｈｏｒｔＭＡＣ-Ｉ」を含む「Ｆｏｒｗａｒｄ  ＨＯ  Ｒｅｑｕｅｓｔ（コンテキスト要求信号）」を送信する工程Ｆと、「Ｆｏｒｗａｒｄ  ＨＯ  Ｒｅｑｕｅｓｔ」を受信したセル＃１を管理する無線基地局ｅＮＢ＃１が、「ｔｒａｎｓＩｄ」及び「ｓｈｏｒｔＭＡＣ-Ｉ」に基づいて移動局ＵＥのコンテキスト情報を特定し、特定した移動局ＵＥのコンテキスト情報を、セルを＃２管理する無線基地局ｅＮＢ＃２に転送する工程Ｇと、移動局ＵＥのコンテキスト情報に基づいて、セル＃２を管理する無線基地局ｅＮＢ＃２及び移動局ＵＥが、移動局ＵＥ用のセル＃２におけるＲＲＣコネクション＃２を設定する工程Ｈとを有することを要旨とする。
【０１３３】
本実施形態の第１の特徴において、工程Ｅにおいて、セル＃２を管理する無線基地局ｅＮＢ＃２は、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ｔｒａｎｓＩｄ」と「ｓｈｏｒｔＭＡＣ-Ｉ」との組み合わせに基づき、移動局ＵＥのコンテキスト情報を記憶しているか否かについて判定してもよい。
【０１３４】
本実施形態の第１の特徴において、工程Ｄは、移動局ＵＥが、無線基地局ｅＮＢ＃２に対して、ランダムアクセスプリアンブルを送信する工程Ｄ１と、無線基地局ｅＮＢ＃２が、受信したランダムアクセスプリアンブルに応じて、移動局ＵＥに対して、ランダムアクセス応答を送信する工程Ｄ２と、移動局ＵＥが、ランダムアクセス応答によって指定されたリソースを用いて、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する工程Ｂ３と、無線基地局ｅＮＢ＃２が、「ＲＲＣ  Ｃｏｎｎｅｃｔｉｏｎ  Ｒｅ-ｅｓｔａｂｌｉｓｈｍｅｎｔ  Ｒｅｑｕｅｓｔ」の受信に応じて、「Ｃｏｎｔｅｎｔｉｏｎ  Ｒｅｓｏｌｕｔｉｏｎ（衝突解決信号）」を送信する工程Ｄ４とを有し、工程Ｄ４において、無線基地局ｅＮＢ＃２は、工程Ｄ１において起動されたＣＲタイマ（所定タイマ）が満了する前に、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に対する応答信号である「ＲＲＣ  Ｃｏｎｎｅｃｔｉｏｎ  Ｒｅ-ｅｓｔａｂｌｉｓｈｍｅｎｔ」とは別に、「Ｃｏｎｔｅｎｔｉｏｎ  Ｒｅｓｏｌｕｔｉｏｎ」を送信してもよい。
【０１３５】
本実施形態の第１の特徴において、セル＃１を管理する無線基地局ｅＮＢ＃１が、ＲＲＣコネクション＃１における障害（ＲＬＦ）を検出していない場合であっても、任意のタイミングで、セル＃２を管理する無線基地局ｅＮＢ＃２に対して、移動局ＵＥにおける最新の「ｔｒａｎｓＩｄ」を含む「ＨＯ  Ｐｒｅｐａｒａｔｉｏｎ」を送信することによって、移動局ＵＥにおける最新の「ｔｒａｎｓＩｄ」を通知する工程を更に有してもよい。
【０１３６】
本実施形態の第２の特徴は、セル＃２を管理する無線基地局ｅＮＢ＃２であって、セル＃１においてＲＲＣコネクション＃１を設定している移動局ＵＥから受信したセル＃２宛ての「ＲＲＣ  Ｃｏｎｎｅｃｔｉｏｎ  Ｒｅ-ｅｓｔａｂｌｉｓｈｍｅｎｔ  Ｒｅｑｕｅｓｔ」に含まれる「ｔｒａｎｓＩｄ」と「ｓｈｏｒｔＭＡＣ-Ｉ」との組み合わせに基づいて、移動局ＵＥのコンテキスト情報を記憶しているか否かについて判定するように構成されている判定部１３と、判定部１３によって移動局ＵＥのコンテキスト情報を記憶していないと判定された場合に、セル＃１を管理する無線基地局ｅＮＢ＃１から、移動局ＵＥのコンテキスト情報を取得するように構成されているＸ２処理部１５と、移動局ＵＥのコンテキスト情報に基づいて、移動局ＵＥと協働して、移動局ＵＥ用のセル＃２におけるＲＲＣコネクション＃２を設定するように構成されているＲＲＣ処理部１２とを具備し、「ｔｒａｎｓＩｄ」は、移動局ＵＥにおいてＲＲＣコネクションの構成の変更処理に成功した場合に更新される識別情報であることを要旨とする。
【０１３７】
本実施形態の第２の特徴において、移動局ＵＥから受信したランダムアクセスプリアンブルに応じて、移動局ＵＥに対して、ランダムアクセス応答を送信し、ランダムアクセス応答によって指定したリソースを用いて移動局から受信した「ＲＲＣ  Ｃｏｎｎｅｃｔｉｏｎ  Ｒｅ-ｅｓｔａｂｌｉｓｈｍｅｎｔ  Ｒｅｑｕｅｓｔ」の受信に応じて、「Ｃｏｎｔｅｎｔｉｏｎ  Ｒｅｓｏｌｕｔｉｏｎ」を送信するように構成されているＭＡＣ処理部１４を具備し、ＭＡＣ処理部１４は、移動局ＵＥによる「ＲＲＣ  Ｃｏｎｎｅｃｔｉｏｎ  Ｒｅ-ｅｓｔａｂｌｉｓｈｍｅｎｔ  Ｒｅｑｕｅｓｔ」の送信の際に起動されたＣＲタイマが満了する前に、「ＲＲＣ  Ｃｏｎｎｅｃｔｉｏｎ  Ｒｅ-ｅｓｔａｂｌｉｓｈｍｅｎｔ  Ｒｅｑｕｅｓｔ」に対する応答信号である「ＲＲＣ  Ｃｏｎｎｅｃｔｉｏｎ  Ｒｅ-ｅｓｔａｂｌｉｓｈｍｅｎｔ」とは別に、「Ｃｏｎｔｅｎｔｉｏｎ  Ｒｅｓｏｌｕｔｉｏｎ」を送信するように構成されていてもよい。
【０１３８】
本実施形態の第２の特徴において、セル＃１を管理する無線基地局ｅＮＢ＃１によって通知された「ｔｒａｎｓＩｄ（「ＨＯ  Ｐｒｅｐａｒａｔｉｏｎ」に含まれる「ｔｒａｎｓＩｄ」）」に応じて、記憶されている移動局ＵＥのコンテキスト情報に対応する「ｔｒａｎｓＩｄ」を更新するように構成されているＵＥコンテキスト記憶部１１を更に具備してもよい。
【０１３９】
本実施形態の第３の特徴は、セル＃１を管理する無線基地局ｅＮＢ＃１であって、セル＃１において移動局ＵＥとの間で設定しているＲＲＣコネクション＃１の構成の変更処理が成功した場合に、「ｔｒａｎｓＩｄ」を更新し、任意のタイミングで、セル＃２を管理する無線基地局ｅＮＢ＃２に対して、更新した「ｔｒａｎｓＩｄ」を含む「ＨＯ  Ｐｒｅｐａｒａｔｉｏｎ」を送信することによって、更新した「ｔｒａｎｓＩｄ」を通知するように構成されているＸ２処理部１５を具備することを要旨とする。
【０１４０】
なお、上述の移動局ＵＥや無線基地局ｅＮＢ＃１/ｅＮＢ＃２や交換局ＭＭＥの動作は、ハードウェアによって実施されてもよいし、プロセッサによって実行されるソフトウェアモジュールによって実施されてもよいし、両者の組み合わせによって実施されてもよい。
【０１４１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１４２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃２や交換局ＭＭＥ内に設けられていてもよい。また、かかる記憶媒体及びプロセッサは、ディスクリートコンポーネントとして移動局ＵＥや無線基地局ｅＮＢ＃１/ｅＮＢ＃２や交換局ＭＭＥ内に設けられていてもよい。
【０１４３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１４４】
ｅＮＢ…無線基地局
１１…ＵＥコンテキスト記憶部
１２…ＲＲＣ処理部
１３…判定部
１４…ＭＡＣ処理部
１５…Ｘ２処理部
１６…Ｓ１処理部
【図１】
2010199632.tif 000003
【図２】
2010199632.tif 000004
【図３】
2010199632.tif 000005
【図４】
2010199632.tif 000006
【図５】
2010199632.tif 000007
【図６】
2010199632.tif 000008
【図７】
2010199632.tif 000009
【図８】
2010199632.tif 000010
【図９】
2010199632.tif 000011
【図１０】
2010199632.tif 000012
【図１１】
2010199632.tif 000013
【図１２】
2010199632.tif 000014
【図１３】
2010199632.tif 000015
【図１４】
2010199632.tif 000016